(57)【要約】【課題】「Ａｄｄｉｔｉｏｎａｌ  Ｃａｒｒｉｅｒ」が適用されている場合であっても、適切に測定処理を行う。【解決手段】本発明に係る移動通信方法は、無線基地局ｅＮＢ＃１が、セル＃１１において「ＲＲＣ_Ｃｏｎｎｅｃｔｅｄ状態」にある移動局ＵＥに対して、セル＃１１Ａにおいて測定処理に用いるべき測定用信号を特定するための情報を送信する工程と、移動局ＵＥが、受信した測定用信号を特定するための情報に基づいて、セル＃１１Ａにおける測定処理を行う工程とを有し、かかる測定用信号は、ＣＲＳ以外の信号である。【選択図】図３
2013157826.tif 000002
【特許請求の範囲】
【請求項１】
第１セルと、該第１セルのカバーエリア内に配置されている第２セルとを具備する移動通信システムにおける移動通信方法であって、
無線基地局が、前記第１セルにおいて接続状態にある移動局に対して、前記第２セルにおいて測定処理に用いるべき測定用信号を特定するための情報を送信する工程と、
前記移動局が、前記測定用信号を特定するための情報に基づいて、前記第２セルにおける測定処理を行う工程とを有し、
前記測定用信号は、セル特有の参照信号以外の信号であることを特徴とする移動通信方法。
【請求項２】
第１セルと、該第１セルのカバーエリア内に配置されている第２セルとを具備する移動通信システムにおいて、該第１セルを管理する無線基地局であって、
前記第１セルにおいて接続状態にある移動局に対して、前記第２セルにおいて測定処理に用いるべき測定用信号を特定するための情報を送信するように構成されている送信部を具備し、
前記測定用信号は、セル特有の参照信号以外の信号であることを特徴とする無線基地局。
【請求項３】
第１セルと、該第１セルのカバーエリア内に配置されている第２セルとを具備する移動通信システムにおいて用いられる移動局であって、
前記第１セルにおいて接続状態にある場合に、該第１セルを管理する無線基地局から、前記第２セルにおいて測定処理に用いるべき測定用信号を特定するための情報を取得するように構成されている受信部と、
前記測定用信号を特定するための情報に基づいて、前記第２セルにおける測定処理を行うように構成されている測定部とを具備し、
前記測定用信号は、セル特有の参照信号以外の信号であることを特徴とする移動局。
【発明の詳細な説明】
【技術分野】
【０００１】
本発明は、移動通信方法、無線基地局及び移動局に関する。
【背景技術】
【０００２】
ＬＴＥ（Ｌｏｎｇ  Ｔｅｒｍ  Ｅｖｏｌｕｔｉｏｎ）-Ａｄｖａｎｃｅｄ方式では、ＣＡ（Ｃａｒｒｉｅｒ  Ａｇｇｒｉｇａｔｉｏｎ、キャリアアグリゲーション）において、既存のＣＣ（Ｃｏｍｐｏｎｅｎｔ  Ｃａｒｒｉｅｒ、コンポーネントキャリア）と互換性のない新規のＣＣを定義し、既存のＣＣ及び新規のＣＣを用いたＣＡを実現することが検討されている。
【０００３】
以下、かかる既存のＣＣを「Ｌｅｇａｃｙ  Ｃａｒｒｉｅｒ」と呼び、かかる新規のＣＣを「Ａｄｄｉｔｉｏｎａｌ  Ｃａｒｒｉｅｒ」と呼ぶものとする。
【０００４】
現在、ＬＴＥ-Ａｄｖａｎｃｅｄ方式では、制御チャネル（Ｃｏｎｔｒｏｌ  Ｃｈａｎｎｅｌ）及びＣＲＳ（Ｃｅｌｌ  ｓｐｅｃｉｆｉｃ  Ｒｅｆｅｒｅｎｃｅ  Ｓｉｇｎａｌ、セル特有の参照信号）を含まない「Ａｄｄｉｔｉｏｎａｌ  Ｃａｒｒｉｅｒ」、或いは、挿入される制御チャネル及びＣＲＳが低減されている「Ａｄｄｉｔｉｏｎａｌ  Ｃａｒｒｉｅｒ」を少なくとも１つ導入することについて合意されている。
【先行技術文献】
【非特許文献】
【０００５】
【非特許文献１】３ＧＰＰ寄書  Ｒ１-１１３６２１
【発明の概要】
【発明が解決しようとする課題】
【０００６】
現在、ＬＴＥ-Ａｄｖａｎｃｅｄ方式では、図１に示すように、セル＃１１のカバーエリア内にセル＃１１Ａ/＃１１Ｂ等を配置することが検討されている。
【０００７】
ここで、セル＃１１は、広いエリアをサポートするカバレッジバンドによって運用されているセルであり、セル＃１１Ａ/＃１１Ｂは、ホットスポットにおいてスループットを改善させるためのキャパシティバンドによって運用されているセルである。
【０００８】
かかるケースにおいて、無線基地局ｅＮＢは、セル＃１１を「Ｐｃｅｌｌ（Ｐｒｉｍａｒｙ  Ｃｅｌｌ）」として設定している移動局ＵＥに対して、セル＃１１Ａ/＃１１Ｂを「Ｓｃｅｌｌ（Ｓｅｃｏｎｄａｒｙ  Ｃｅｌｌ）」として設定するために、移動局ＵＥに、セル＃１１Ａ/＃１１Ｂにおける測定処理を行わせる必要がある。
【０００９】
しかしながら、現在、ＬＴＥ-Ａｄｖａｎｃｅｄ方式では、移動局ＵＥが「Ａｄｄｉｔｉｏｎａｌ  Ｃａｒｒｉｅｒ」においてどのように測定処理を行うべきについて規定されていないため、上述のケースにおいて、移動局ＵＥは、セル＃１１Ａ/＃１１Ｂにおける測定処理を行うことができないという問題点があった。
【００１０】
そこで、本発明は、上述の課題に鑑みてなされたものであり、「Ａｄｄｉｔｉｏｎａｌ  Ｃａｒｒｉｅｒ」が適用されている場合であっても、適切に測定処理を行うことができる移動通信方法、無線基地局及び移動局を提供することを目的とする。
【課題を解決するための手段】
【００１１】
本発明の第１の特徴は、第１セルと、該第１セルのカバーエリア内に配置されている第２セルとを具備する移動通信システムにおける移動通信方法であって、無線基地局が、前記第１セルにおいて接続状態にある移動局に対して、前記第２セルにおいて測定処理に用いるべき測定用信号を特定するための情報を送信する工程と、前記移動局が、前記測定用信号を特定するための情報に基づいて、前記第２セルにおける測定処理を行う工程とを有し、前記測定用信号は、セル特有の参照信号以外の信号であることを要旨とする。
【００１２】
本発明の第２の特徴は、第１セルと、該第１セルのカバーエリア内に配置されている第２セルとを具備する移動通信システムにおいて、該第１セルを管理する無線基地局であって、前記第１セルにおいて接続状態にある移動局に対して、前記第２セルにおいて測定処理に用いるべき測定用信号を特定するための情報を送信するように構成されている送信部を具備し、前記測定用信号は、セル特有の参照信号以外の信号であることを要旨とする。
【００１３】
本発明の第３の特徴は、第１セルと、該第１セルのカバーエリア内に配置されている第２セルとを具備する移動通信システムにおいて用いられる移動局であって、前記第１セルにおいて接続状態にある場合に、該第１セルを管理する無線基地局から、前記第２セルにおいて測定処理に用いるべき測定用信号を特定するための情報を取得するように構成されている受信部と、前記測定用信号を特定するための情報に基づいて、前記第２セルにおける測定処理を行うように構成されている測定部とを具備し、前記測定用信号は、セル特有の参照信号以外の信号であることを要旨とする。
【発明の効果】
【００１４】
以上説明したように、本発明によれば、「Ａｄｄｉｔｉｏｎａｌ  Ｃａｒｒｉｅｒ」が適用されている場合であっても、適切に測定処理を行うことができる移動通信方法、無線基地局及び移動局を提供することができる。
【図面の簡単な説明】
【００１５】
【図１】本発明の第１の実施形態に係る移動通信システムの全体構成図である。
【図２】本発明の第１の実施形態に係る無線基地局の機能ブロック図である。
【図３】本発明の第１の実施形態に係る無線基地局によって送信される「ＭｅａｓＯｂｊｅｃｔＥＵＴＲＡ」のフォーマットの一例を示す図である。
【図４】本発明の第１の実施形態に係る無線基地局によって送信される「ＭｅａｓＯｂｊｅｃｔＥＵＴＲＡ」内の「ＰＲＳ-Ｉｎｆｏ」のフォーマットの一例を示す図である。
【図５】本発明の第１の実施形態に係る移動通信システムにおける「Ａｄｄｉｔｉｏｎａｌ  Ｃａｒｒｉｅｒ」において測定処理に用いられる信号の一例を示す図である。
【図６】本発明の第１の実施形態に係る移動通信システムにおける「Ａｄｄｉｔｉｏｎａｌ  Ｃａｒｒｉｅｒ」において測定処理に用いられる信号の一例を示す図である。
【図７】本発明の第１の実施形態に係る移動局の機能ブロック図である。
【発明を実施するための形態】
【００１６】
（本発明の第１の実施形態に係る移動通信システム）
図１乃至図７を参照して、本発明の第１の実施形態に係る移動通信システムについて説明する。
【００１７】
本実施形態に係る移動通信システムは、ＬＴＥ-Ａｄｖａｎｃｅｄ方式をサポートするものであって、ＣＡを提供することができるように構成されている。
【００１８】
図１に示すように、本実施形態に係る移動通信システムは、セル＃１１/＃１２/＃１３を管理する無線基地局ｅＮＢ＃１や、セル＃１１Ａを管理する無線基地局ｅＮＢ＃１１Ａや、セル＃１１Ｂを管理する無線基地局ｅＮＢ＃１１Ｂや、セル＃１２Ａを管理する無線基地局ｅＮＢ＃１２Ａや、セル＃１３Ａを管理する無線基地局ｅＮＢ＃１３Ａや、セル＃１３Ｂを管理する無線基地局ｅＮＢ＃１３Ｂ等を具備している。
【００１９】
ここで、セル＃１１Ａ/＃１１Ｂは、セル＃１１のカバーエリア内に配置されており、セル＃１２Ａは、セル＃１２のカバーエリア内に配置されており、セル＃１３Ａ/＃１３Ｂは、セル＃１３のカバーエリア内に配置されている。
【００２０】
例えば、セル＃１１/＃１２/＃１３は、「Ｌｅｇａｃｙ  Ｃａｒｒｉｅｒ」によって運用されているマクロセルであり、セル＃１１Ａ/＃１１Ｂ/＃１２Ａ/＃１３Ａ/＃１３Ｂは、「Ａｄｄｉｔｉｏｎａｌ  Ｃａｒｒｉｅｒ」によって運用されているピコセルであってもよい。
【００２１】
なお、セル＃１１Ａ/＃１１Ｂ/＃１２Ａ/＃１３Ａ/＃１３Ｂの少なくとも１つは、「Ｌｅｇａｃｙ  Ｃａｒｒｉｅｒ」によって運用されていてもよい。
【００２２】
なお、本実施形態では、移動局ＵＥは、無線基地局ｅＮＢ＃１配下のセル＃１１において「ＲＲＣ_Ｃｏｎｎｅｃｔｅｄ状態」であるものとして説明を行う。
【００２３】
以下、本実施形態に係る無線基地局ｅＮＢ＃１の機能について説明する。なお、無線基地局＃１１Ａ/＃１１Ｂ/＃１２Ａ/＃１３Ａ/＃１３Ｂの機能は、無線基地局ｅＮＢ＃１の機能と同一であってもよいし、無線基地局ｅＮＢ＃１の機能と異なっていてもよい。
【００２４】
図２に示すように、本実施形態に係る無線基地局ｅＮＢ＃１は、受信部１１と、送信部１２とを具備している。
【００２５】
受信部１１は、移動局ＵＥや周辺の無線基地局＃１１Ａ/＃１１Ｂ/＃１２Ａ/＃１３Ａ/＃１３Ｂによって送信される各種信号を受信するように構成されている。
【００２６】
例えば、受信部１１は、移動局ＵＥから、「Ｍｅａｓｕｒｅｍｅｎｔ  Ｒｅｐｏｒｔ」を受信するように構成されていてもよい。
【００２７】
また、受信部１１は、周辺の無線基地局＃１１Ａ/＃１１Ｂ/＃１２Ａ/＃１３Ａ/＃１３Ｂから、「Ａｄｄｉｔｉｏｎａｌ  Ｃａｒｒｉｅｒ」が適用されているか否かについて示す情報等の設定情報を受信するように構成されていてもよい。
【００２８】
送信部１２は、移動局ＵＥや周辺の無線基地局＃１１Ａ/＃１１Ｂ/＃１２Ａ/＃１３Ａ/＃１３Ｂに対して各種信号を送信するように構成されている。
【００２９】
例えば、送信部１２は、移動局ＵＥに対して、「ＭｅａｓＯｂｊｅｃｔＥＵＴＲＡ」を含む「Ｍｅａｓｕｒｅｍｅｎｔ  Ｃｏｎｆｉｇｕｒａｔｉｏｎ」を含む「ＲＲＣ  Ｒｅｃｏｎｆｉｇｕｒａｔｉｏｎ」を送信するように構成されていてもよい。
【００３０】
また、送信部１２は、移動局ＵＥに対して、測定対象キャリアにおいて測定処理に用いるべき測定用信号を特定するための情報（具体的には、かかる測定用信号の構成を特定するための情報）を通知するように構成されていてもよい。
【００３１】
例えば、送信部１２は、移動局ＵＥに対して、セル＃１１Ａ/＃１１Ｂにおける測定処理に用いるべき測定用信号を特定するための情報を、それぞれ通知するように構成されていてもよい。
【００３２】
具体的には、図３に示すように、送信部１２は、「ＭｅａｓＯｂｊｅｃｔＥＵＴＲＡ」内の「新規ａｄｄｉｔｉｏｎａｌ  ｃａｒｒｉｅｒ  ｍｅａｓｕｒｅｍｅｎｔ用の信号、若しくは、新規ａｄｄｉｔｉｏｎａｌ  ｃａｒｒｉｅｒ  ｍｅａｓｕｒｅｍｅｎｔ用の信号としてのＰｏｓｉｔｉｏｎｉｎｇ用Ｒｅｆｅｒｅｎｃｅ  ｓｉｇｎａｌ」によって、かかる測定用信号を特定するための情報（具体的には、かかる測定用信号の構成を特定するための情報）を通知するように構成されていてもよい。
【００３３】
ここで、かかる測定用信号として、ＰＲＳが用いられてもよい。かかる場合、送信部１２は、「ＭｅａｓＯｂｊｅｃｔＥＵＴＲＡ」内の「新規ａｄｄｉｔｉｏｎａｌ  ｃａｒｒｉｅｒ  ｍｅａｓｕｒｅｍｅｎｔ用の信号、若しくは、新規ａｄｄｉｔｉｏｎａｌ  ｃａｒｒｉｅｒ  ｍｅａｓｕｒｅｍｅｎｔ用の信号としてのＰｏｓｉｔｉｏｎｉｎｇ用Ｒｅｆｅｒｅｎｃｅ  ｓｉｇｎａｌ」に、セル＃１１Ａ/＃１１Ｂにおける測定処理に用いるべき測定用信号を特定するための情報として、図４に示す「ＰＲＳ-ｉｎｆｏ」を設定するように構成されていてもよい。
【００３４】
また、かかる測定用信号として、ＰＲＳの代わりに、図５に示す第１信号が用いられてもよいし、図６に示す第２信号が用いられてもよい。
【００３５】
例えば、図５に示すように、第１信号は、ＰＲＳを参照にして生成された６個の直交系列と、各直交系列のシンボルごとにサブキャリアをランダムにシフトすることによって生成されたＮ個の非直交系列とからなる。
【００３６】
なお、図５に示すように、かかる非直交系列間においても、できるだけ衝突の少ないパターンが用いられることが好ましい。
【００３７】
また、図６に示すように、第２信号は、サブキャリアをシフトする代わりに周波数方向の位相回転（時間領域における巡回シフト）を用いて生成された直交系列と、各直交系列のスクランブル符号を変更することによって生成された非直交系列とからなる。
【００３８】
上述のＰＲＳや第１信号や第２信号を構成する各系列には、識別情報が付与されており、送信部１２は、「ＭｅａｓＯｂｊｅｃｔＥＵＴＲＡ」内の「ＣｅｌｌＴｏＡｄｄＭｏｄＬｉｓｔ-ｒ１１」内の「新規ａｄｄｉｔｉｏｎａｌ  ｃａｒｒｉｅｒ  ｍｅａｓｕｒｅｍｅｎｔ用の信号、若しくは、新規ａｄｄｉｔｉｏｎａｌ  ｃａｒｒｉｅｒ  ｍｅａｓｕｒｅｍｅｎｔ用の信号としてのＰｏｓｉｔｉｏｎｉｎｇ用Ｒｅｆｅｒｅｎｃｅ  ｓｉｇｎａｌ」に、かかる識別情報を設定することによって、測定処理に用いるべきＣＲＳ以外の信号を特定するための情報（具体的には、かかる信号の構成を特定するための情報）を通知するように構成されていてもよい。
【００３９】
図７に示すように、本実施形態に係る移動局ＵＥは、受信部２１と、測定部２２と、送信部２３とを具備している。
【００４０】
受信部２１は、無線基地局ｅＮＢによって送信される各種信号を受信するように構成されている。
【００４１】
例えば、受信部２１は、無線基地局ｅＮＢから、「ＭｅａｓＯｂｊｅｃｔＥＵＴＲＡ」を含む「Ｍｅａｓｕｒｅｍｅｎｔ  Ｃｏｎｆｉｇｕｒａｔｉｏｎ」を含む「ＲＲＣ  Ｒｅｃｏｎｆｉｇｕｒａｔｉｏｎ」を受信するように構成されていてもよい。
【００４２】
例えば、受信部２１は、「ＭｅａｓＯｂｊｅｃｔＥＵＴＲＡ」内の「新規ａｄｄｉｔｉｏｎａｌ  ｃａｒｒｉｅｒ  ｍｅａｓｕｒｅｍｅｎｔ用の信号、若しくは、新規ａｄｄｉｔｉｏｎａｌ  ｃａｒｒｉｅｒ  ｍｅａｓｕｒｅｍｅｎｔ用の信号としてのＰｏｓｉｔｉｏｎｉｎｇ用Ｒｅｆｅｒｅｎｃｅ  ｓｉｇｎａｌ」から、セル＃１１Ａ/＃１１Ｂにおける測定処理に用いるべき測定用信号を特定するための情報（具体的には、かかる測定用信号の構成を特定するための情報）を取得するように構成されていてもよい。
【００４３】
測定部２２は、受信部２１によって受信された「Ｍｅａｓｕｒｅｍｅｎｔ  Ｃｏｎｆｉｇｕｒａｔｉｏｎ」に応じて、測定処理を行うように構成されている。
【００４４】
具体的には、測定部２２は、セル＃１１Ａ/＃１１Ｂにおける測定処理に用いるべき測定用信号を特定するための情報（具体的には、かかる測定用信号の構成を特定するための情報）に基づいて、上述の測定処理を行うように構成されていてもよい。
【００４５】
送信部２３は、無線基地局ｅＮＢに対して、上述の測定結果を含む「Ｍｅａｓｕｒｅｍｅｎｔ  Ｒｅｐｏｒｔ」を送信するように構成されている。
【００４６】
本実施形態に係る発明によれば、無線基地局ｅＮＢが、「ＭｅａｓＯｂｊｅｃｔＥＵＴＲＡ」内の「新規ａｄｄｉｔｉｏｎａｌ  ｃａｒｒｉｅｒ  ｍｅａｓｕｒｅｍｅｎｔ用の信号、若しくは、新規ａｄｄｉｔｉｏｎａｌ  ｃａｒｒｉｅｒ  ｍｅａｓｕｒｅｍｅｎｔ用の信号としてのＰｏｓｉｔｉｏｎｉｎｇ用Ｒｅｆｅｒｅｎｃｅ  ｓｉｇｎａｌ」によって、セル＃１１において「ＲＲＣ_Ｃｏｎｎｅｃｔｅｄ状態」にある移動局ＵＥに対して、セル＃１１Ａ/＃１１Ｂにおける測定用信号を特定するための情報を通知することができるため、移動局ＵＥに対して、セル＃１１Ａ/＃１１Ｂを「Ｓｃｅｌｌ（Ｓｅｃｏｎｄａｒｙ  Ｃｅｌｌ）」として設定する前に、移動局ＵＥに、セル＃１１Ａ/＃１１Ｂにおける測定処理を行わせることができる。
【００４７】
以上に述べた本実施形態の特徴は、以下のように表現されていてもよい。
【００４８】
本実施形態の第１の特徴は、セル＃１１（第１セル）と、セル＃１１のカバーエリア内に配置されているセル＃１１Ａ（第２セル）とを具備する移動通信システムにおける移動通信方法であって、無線基地局ｅＮＢ＃１が、セル＃１１において「ＲＲＣ_Ｃｏｎｎｅｃｔｅｄ状態（接続状態）」にある移動局ＵＥに対して、セル＃１１Ａにおいて測定処理に用いるべき測定用信号を特定するための情報を送信する工程と、移動局ＵＥが、受信した測定用信号を特定するための情報に基づいて、セル＃１１Ａにおける測定処理を行う工程とを有し、かかる測定用信号は、ＣＲＳ（セル特有の参照信号）以外の信号であることを要旨とする。
【００４９】
本実施形態の第２の特徴は、セル＃１１と、セル＃１１のカバーエリア内に配置されているセル＃１１Ａとを具備する移動通信システムにおいて、セル＃１１を管理する無線基地局ｅＮＢ＃１であって、セル＃１１において「ＲＲＣ_Ｃｏｎｎｅｃｔｅｄ状態」にある移動局ＵＥに対して、セル＃１１Ａにおいて測定処理に用いるべき測定用信号を特定するための情報を送信するように構成されている送信部１２を具備し、かかる測定用信号は、ＣＲＳ以外の信号であることを要旨とする。
【００５０】
本実施形態の第３の特徴は、セル＃１１と、セル＃１１のカバーエリア内に配置されているセル＃１１Ａとを具備する移動通信システムにおいて用いられる移動局ＵＥであって、セル＃１１において「ＲＲＣ_Ｃｏｎｎｅｃｔｅｄ状態」にある場合に、セル＃１１を管理する無線基地局ｅＮＢ＃１から、セル＃１１Ａにおいて測定処理に用いるべき測定用信号を特定するための情報を取得するように構成されている受信部２１と、受信した測定用信号を特定するための情報に基づいて、セル＃１１Ａにおける測定処理を行うように構成されている測定部２２とを具備し、かかる測定用信号は、ＣＲＳ以外の信号であることを要旨とする。
【００５１】
なお、上述の移動局ＵＥや無線基地局ｅＮＢの動作は、ハードウェアによって実施されてもよいし、プロセッサによって実行されるソフトウェアモジュールによって実施されてもよいし、両者の組み合わせによって実施されてもよい。
【００５２】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００５３】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ｅＮＢ内に設けられていてもよい。また、かかる記憶媒体及びプロセッサは、ディスクリートコンポーネントとして移動局ＵＥや無線基地局ｅＮＢ内に設けられていてもよい。
【００５４】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００５５】
ＵＥ…移動局
ｅＮＢ…無線基地局
１１、２１…受信部
１２、２３…送信部
２２…測定部
【図１】
2013157826.tif 000003
【図２】
2013157826.tif 000004
【図３】
2013157826.tif 000005
【図４】
2013157826.tif 000006
【図５】
2013157826.tif 000007
【図６】
2013157826.tif 000008
【図７】
2013157826.tif 000009